【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
ユーザ端末装置とサーバ装置とを備えたシステムである特典処理システムであって、
前記ユーザ端末装置は、
前記ユーザ端末装置の場所を検出する場所検出手段と、
前記ユーザ端末装置の場所情報を伴う処理開始要求をサーバ装置に送信する開始要求送信手段と、
前記処理開始要求に対する応答として前記サーバ装置から特典情報を受信して、当該特典情報が示す特典を予定特典として表示する特典表示手段と、
前記処理開始要求の送信後、所定の時間間隔で前記ユーザ端末装置の場所情報を伴う判定要求を前記サーバ装置に送信する判定要求送信手段と、
前記判定要求に応答して行われた判定の結果に基づく判定結果情報を前記サーバ装置から受信して、当該判定結果情報に基づき可能特典を表示する可能特典表示手段と
を備え、
前記サーバ装置は、
前記ユーザ端末装置から前記処理開始要求を受信して、前記ユーザ端末装置の場所に対応する特典情報を前記ユーザ端末装置に送信する特典情報送信手段と、
前記ユーザ端末装置から前記判定要求を受信して、前記判定要求に伴う場所情報を基に前記ユーザ端末装置が所定場所にあるかどうかを判定し、その判定結果に基づく前記判定結果情報を、前記ユーザ端末装置に送信する判定手段と
を備え、
前記可能特典は、前記予定特典のうちの特典であって、前記判定結果が前記ユーザ端末装置が前記所定場所にあるとの判定結果の場合に、下記のうちの少なくとも１つに基づいて決定された特典である、
（ａ）所定の条件が満たされてからの経過時間、
（ｂ）予め設定された時刻を経過したかどうか、
特典処理システム。
【請求項２】
ユーザ端末装置から、前記ユーザ端末装置の場所を示す場所情報を伴う処理開始要求を受信して、前記ユーザ端末装置の場所に対応する特典情報を前記ユーザ端末装置に送信する特典情報送信手段と、
前記ユーザ端末装置から、前記ユーザ端末装置の場所を示す場所情報を伴う判定要求を受信して、当該場所情報を基に前記ユーザ端末装置が所定場所にあるかどうかを判定し、その判定結果に基づく前記判定結果情報を、前記ユーザ端末装置に送信する判定手段と
を備え、
前記特典情報が示す特典は、前記ユーザ端末装置により予定特典として表示される特典であり、
前記判定結果情報に基づき可能特典が前記ユーザ端末により表示され、
前記可能特典は、前記予定特典のうちの特典であって、前記判定結果が前記ユーザ端末装置が前記所定場所にあるとの判定結果の場合に、下記のうちの少なくとも１つに基づいて決定された特典である、
（ａ）所定の条件が満たされてからの経過時間、
（ｂ）予め設定された時刻を経過したかどうか、
サーバ装置。
【請求項３】
ユーザ端末装置から、前記ユーザ端末装置の場所を示す場所情報を伴う処理開始要求を受信して、前記ユーザ端末装置の場所に対応する特典情報をを前記ユーザ端末装置に送信する特典情報送信手段と、
前記ユーザ端末装置から、前記ユーザ端末装置の場所を示す場所情報を伴う判定要求を受信して、当該場所情報を基に前記ユーザ端末装置が所定場所にあるかどうかを判定し、その判定結果に基づく前記判定結果情報を、前記ユーザ端末装置に送信する判定手段と
を備えるサーバ装置としてコンピュータを機能させ、
前記特典情報が示す特典は、前記ユーザ端末装置により予定特典として表示され、
前記判定結果情報に基づき可能特典が前記ユーザ端末により表示され、
前記可能特典は、前記予定特典のうちの特典であって、前記判定結果が前記ユーザ端末装置が前記所定場所にあるとの判定結果の場合に、下記のうちの少なくとも１つに基づいて決定された特典である、
（ａ）所定の条件が満たされてからの経過時間、
（ｂ）予め設定された時刻を経過したかどうか、
コンピュータプログラム。
【請求項４】
ユーザ端末装置の場所を検出する場所検出手段と、
前記ユーザ端末装置の場所情報を伴う処理開始要求をサーバ装置に送信する開始要求送信手段と、
前記処理開始要求に対する応答として前記サーバ装置から特典情報を受信して、当該特典情報が示す特典を予定特典として表示する予定特典表示手段と、
前記処理開始要求の送信後、所定の時間間隔で前記ユーザ端末装置の場所情報を伴う判定要求を前記サーバ装置に送信する判定要求送信手段と、
前記判定要求を受信した前記サーバ装置の判定手段から、当該判定要求に伴う前記場所情報を基に前記ユーザ端末装置が所定場所にあるかどうかを判定した結果に基づく判定結果情報を受信し、当該判定結果情報に基づき可能特典を表示する可能特典表示手段と
を備え、
前記可能特典は、前記予定特典のうちの特典であって、前記判定結果が前記ユーザ端末装置が前記所定場所にあるとの判定結果の場合に、下記のうちの少なくとも１つに基づいて決定された特典である、
（ａ）所定の条件が満たされてからの経過時間、
（ｂ）予め設定された時刻を経過したかどうか、
ユーザ端末装置。
【請求項５】
ユーザ端末装置の場所を検出する場所検出手段と、
前記ユーザ端末装置の場所情報を伴う処理開始要求をサーバ装置に送信する開始要求送信手段と、
前記処理開始要求に対する応答として前記サーバ装置から特典情報を受信して、当該特典情報が示す特典を予定特典として表示する予定特典表示手段と、
前記処理開始求の送信後、所定の時間間隔で前記ユーザ端末装置の場所情報を伴う判定要求を前記サーバ装置に送信する判定要求送信手段と、
前記判定要求を受信した前記サーバ装置の判定手段から、当該判定要求に伴う前記場所情報を基に前記ユーザ端末装置が所定場所にあるかどうかを判定した結果に基づく判定結果情報を受信し、当該判定結果情報に基づき可能特典を表示する可能特典表示手段と
を備える前記ユーザ端末装置としてコンピュータを機能させ、
前記可能特典は、前記予定特典のうちの特典であって、前記判定結果が前記ユーザ端末装置が前記所定場所にあるとの判定結果の場合に、下記のうちの少なくとも１つに基づいて決定された特典である、
（ａ）所定の条件が満たされてからの経過時間、
（ｂ）予め設定された時刻を経過したかどうか、
コンピュータプログラム。
【請求項６】
請求項１〜５のいずれか１項に記載のシステム、装置またはプログラムにおいて、
前記可能特典表示手段は、可能特典のチケットへのリンクを表示する、
システム、装置またはプログラム。
【請求項７】
請求項１〜６のいずれか１項に記載のシステム、装置またはプログラムにおいて、
前記判定手段は、前記ユーザ端末装置が前記所定場所にないと判断した場合には、その旨の警告を前記ユーザ端末装置において表示するための情報を含んだ前記判定結果情報を送信する、
システム、装置またはプログラム。
【請求項８】
請求項１〜７のいずれか１項に記載のシステム、装置またはプログラムにおいて、
前記判定手段は、前記ユーザ端末装置が前記所定場所にないと判断した場合には、処理を中断または中止する、
システム、装置またはプログラム。
【請求項９】
請求項１〜８のいずれか１項に記載のシステム、装置またはプログラムにおいて、
前記所定場所は、複数の店舗が集合する商業施設内、または店舗に入店するための待ち行列であり、
前記特典は、店舗のサービスチケットである、
システム、装置またはプログラム。
【請求項１０】
請求項１〜８のいずれか１項に記載のシステム、装置またはプログラムにおいて、
前記判定手段は、前記ユーザ端末装置が、イベント終了後にイベント施設にあるかどうかを更に判定する、
システム、装置またはプログラム。
【請求項１１】
請求項１０のシステム、装置またはプログラムにおいて、
（ａ）の経過時間は、イベント終了後からの経過時間であり、
（ｂ）の時刻は、イベント終了後の所定時刻である、
システム、装置またはプログラム。
【請求項１２】
ユーザ端末装置とサーバ装置とを備えたシステムである特典処理システムであって、
前記ユーザ端末装置は、
前記ユーザ端末装置が所定場所にあることを検出する所定場所検出手段と、
前記所定場所検出手段による検出結果をサーバ装置に送信する検出結果送信手段と、
前記サーバ装置から特典情報を受信し、当該特典情報が示す特典を表示する特典表示手段と
を備え、
前記サーバ装置は、
前記所定場所検出手段の検出結果を受信する検出結果受信手段と、
前記検出結果を受信して、前記ユーザ端末装置が当該所定場所に留まっていた滞在時間に応じた特典を示す特典情報を、前記ユーザ端末装置に送信する特典情報送信手段と
を備える
特典処理システム。
【請求項１３】
ユーザ端末装置が所定場所にあることを検出した結果である検出結果を受信する検出結果受信手段と、
前記検出結果を受信して、前記ユーザ端末装置が当該所定場所に留まっていた滞在時間に応じた特典を示す特典情報を、前記ユーザ端末装置に送信する特典情報送信手段と
を備えるサーバ装置。
【請求項１４】
ユーザ端末装置が所定場所にあることを検出した結果である検出結果を受信する検出結果受信手段と、
前記検出結果を受信して、前記ユーザ端末装置が当該所定場所に留まっていた滞在時間に応じた特典を示す特典情報を、前記ユーザ端末装置に送信する特典情報送信手段と
を備えるサーバ装置としてコンピュータを機能させるためのコンピュータプログラム。
【請求項１５】
ユーザ端末装置が所定場所にあることを検出する所定場所検出手段と、
前記所定場所検出手段による検出結果をサーバ装置に送信する検出結果送信手段と、
前記検出結果を受信して、前記ユーザ端末装置が当該所定場所に留まっていた滞在時間に応じて前記サーバ装置が決定した特典を示す特典情報を受信し、当該特典情報が示す特典を表示する特典表示手段と
を備えるユーザ端末装置。
【請求項１６】
ユーザ端末装置が所定場所にあることを検出する所定場所検出手段と、
前記所定場所検出手段による検出結果をサーバ装置に送信する検出結果送信手段と、
前記検出結果を受信して、前記ユーザ端末装置が当該所定場所に留まっていた滞在時間に応じて前記サーバ装置が決定した特典を示す特典情報を受信し、当該特典情報が示す特典を表示する特典画面表示手段と
を備える前記ユーザ端末装置としてコンピュータを機能させるためのコンピュータプログラム。
【請求項１７】
コンピュータを用いた経過時間に基づく特典処理方法であって、
前記コンピュータが、ユーザの持つユーザ端末装置が所定場所にいることを検出し、
前記コンピュータが、前記検出結果に基づいて、前記ユーザ端末装置が所定場所に留まっていた滞在時間を算出し、
前記コンピュータが、前記算出した時間に基づいて、前記ユーザに対する特典を決定し、前記ユーザ端末装置に表示することを特徴とする特典処理方法。
【請求項１８】
請求項１７の特典処理方法において、
前記ユーザ端末装置は、前記コンピュータを備えている、
特典処理方法。
【請求項１９】
請求項１７の特典処理方法において、
前記コンピュータは、第１および第２のコンピュータを備えて構成されており、
第１のコンピュータは、前記ユーザ端末装置内に設けられ、
第２のコンピュータは、前記ユーザ端末装置と通信可能なサーバ装置内に設けられている、
特典処理方法。
【請求項２０】
請求項１〜１１のいずれかの１項に記載のシステム、装置またはプログラムにおいて、
前記予定特典の表示は、少なくとも特典を受けることができる時刻の表示を含む、
システム、装置またはプログラム。
【請求項２１】
請求項１〜１１及び２０のいずれかの１項に記載のシステム、装置またはプログラムにおいて、
前記予定特典の表示は、少なくとも特典を受けるために必要な残り時間の表示を含む、
システム、装置またはプログラム。
【請求項２２】
請求項１〜１１及び２０〜２１のいずれかの１項に記載のシステム、装置またはプログラムにおいて、
（ａ）の経過時間は、前記ユーザ端末装置が前記所定場所に留まっていた滞在時間であり、
（ａ）の所定の条件は、
前記ユーザ端末で所定のプログラムが起動したこと、
前記ユーザ端末装置が前記所定場所に入ったこと、
ユーザが特定の商品を購入したことが検出されたこと、または、
施設が定めたアクションが行われたことが検出されたこと、
である、
システム、装置またはプログラム。
【請求項２３】
請求項１〜１１及び２０〜２２のいずれかの１項に記載のシステム、装置またはプログラムにおいて、
前記判断手段が送信する前記判定結果情報は、前記判定結果が前記ユーザ端末装置が前記所定場所にあるとの判定結果の場合に（ａ）及び（ｂ）のうちの少なくとも１つに基づいて決定された前記可能特典を示す情報を含む、
システム、装置またはプログラム。
【請求項２４】
請求項１１〜１９のいずれかの１項に記載のシステム、装置、方法またはプログラムにおいて、
前記滞在時間のカウントを開始する条件は、
前記ユーザ端末で所定のプログラムが起動したこと、
前記ユーザ端末装置が前記所定場所に入ったこと、
ユーザが特定の商品を購入したことが検出されたこと、または、
施設が定めたアクションが行われたことが検出されたこと、
である、
システム、装置またはプログラム。
【手続補正２】
【補正対象書類名】明細書
【補正対象項目名】発明の名称
【補正方法】変更
【補正の内容】
【発明の名称】特典処理システム